(57)【要約】【課題】装置の構造が簡易でメンテナンスが容易な脱臭装置を提供する。【解決手段】脱臭装置１００は、外気を吸入して外気から臭気を脱臭するものであり、外気吸入部１０と脱臭部２０と外気排出部３０とを備える。外気吸入部１０は、外気を吸入して脱臭部２０内に外気を供給する。脱臭部２０は、外気吸入部１０が吸入した外気から臭気を７０８号鉱石（登録商標）により脱臭するものであり、外気通路部２１と７０８号鉱石群２２と鉱石固定部２３とを備える。外気通路部２１は、外気吸入部１０が吸入した外気の通路である。７０８号鉱石群２２は、７０８号鉱石（登録商標）の塊の集合体であり、鉱石固定部２３により外気通路部２１の所定の位置に固定される。外気通路部２１内の外気は、外気通路部２１内に固定された７０８号鉱石群２２を通過する際に臭気を脱臭され、外気排出部３０より外部に排出される。【選択図】      図１
0003139161.tif 000002
【実用新案登録請求の範囲】
【請求項１】
外気を吸入する外気吸入部と、
前記吸入した外気から臭気を７０８号鉱石（登録商標）により脱臭する脱臭部と、
前記脱臭部で脱臭された外気を排出する外気排出部と
を備えたことを特徴とする脱臭装置。
【請求項２】
前記脱臭部は、
前記吸入した外気の通路である外気通路部と、
少なくとも１つの前記７０８号鉱石（登録商標）と、
前記少なくとも１つの７０８号鉱石（登録商標）を前記外気通路部内の所定の位置に固定する鉱石固定部と
を具備し、
前記鉱石固定部により固定された前記少なくとも１つの７０８号鉱石（登録商標）中に前記吸入した外気を通過させることにより前記吸入した外気から臭気を脱臭することを特徴とする請求項１記載の脱臭装置。
【請求項３】
前記少なくとも１つの７０８号鉱石（登録商標）を固定した前記鉱石固定部を外気の進行方向に沿って前記外気通路部内に複数設けたことを特徴とする請求項２記載の脱臭装置。
【考案の詳細な説明】
【技術分野】
【０００１】
本考案は、外気中から臭気を脱臭する脱臭装置に関し、特に簡易な構造により外気中から臭気を脱臭する脱臭装置に関する。
【背景技術】
【０００２】
従来、外気中から臭気を脱臭する脱臭装置として、オゾンおよび紫外線を発生させる高電圧放電手段と、この高電圧放電手段で発生させた紫外線により活性化され、空気中に含まれている臭気成分や有害物質などの分解作用をおこなう光触媒モジュールと、上記高電圧放電手段により発生させたオゾンを分解するオゾン分解手段とを送風経路内に配置した脱臭装置が提案されていた（例えば、特許文献１参照。）。
【０００３】
この脱臭装置によれば、高電圧放電手段により発生させた紫外線を光触媒モジュールに照射して光触媒モジュールにおける光触媒を活性化させる。これにより活性化した活性酸素が送風経路内を流下し、水酸化ラジカル（遊離基）の強い酸化作用で、光触媒モジュールの表面に付着した臭気ガス成分や有機化合物の結合を分解し、無臭化若しくは低臭気化することで脱臭する。
【特許文献１】特開２００３−３３９８３９（図１）
【考案の開示】
【考案が解決しようとする課題】
【０００４】
しかしながら、上記従来の脱臭装置は、特開２００６−０１５０１９でも指摘されているように光触媒の表面にタバコ煙中のヤニ成分のような汚れが付着し蓄積すると、有効な紫外線が触媒部分まで届かなくなり、性能が低下する問題があった。また、上記従来の脱臭装置は、装置の構造が複雑である。このため、従来の脱臭装置において脱臭機能が不十分になった場合、その原因を特定するのに上記従来の脱臭装置の構造に詳しい者でないと、時間を要する。すなわち、上記従来の脱臭装置におけるメンテナンス作業は素人には困難である問題があった。
【０００５】
そこで、本考案は、装置の構造が簡易でメンテナンスが容易な脱臭装置を提供することを目的とする。
【課題を解決するための手段】
【０００６】
上記課題を解決するため、本考案の脱臭装置は、外気を吸入する外気吸入部と、上記吸入した外気から臭気を７０８号鉱石（登録商標）により脱臭する脱臭部と、上記脱臭部で脱臭された外気を排出する外気排出部とを備えたことを特徴とするものである。これにより、簡易な構造の脱臭装置により外気中の臭気を容易に脱臭させるという作用をもたらす。
【０００７】
また、本考案の脱臭装置において、上記脱臭部は、上記吸入した外気の通路である外気通路部と、少なくとも１つの上記７０８号鉱石（登録商標）と、上記少なくとも１つの７０８号鉱石（登録商標）を上記外気通路部内の所定の位置に固定する鉱石固定部とを具備し、上記鉱石固定部により固定された上記少なくとも１つの７０８号鉱石（登録商標）中に上記吸入した外気を通過させることにより上記吸入した外気から臭気を脱臭することを特徴とする。これにより、簡易な構造の脱臭装置により外気中の臭気を容易に脱臭させるという作用をもたらす。
【０００８】
また、本考案の脱臭装置において、上記少なくとも１つの７０８号鉱石（登録商標）を固定した上記鉱石固定部を外気の進行方向に沿って上記外気通路部内に複数設けたことを特徴とする。これにより、外気中の臭気を脱臭する度合いを向上させるという作用をもたらす。
【考案の効果】
【０００９】
本考案によれば、外気中の臭気を容易に脱臭することができるという優れた効果を奏し得る。特に、本考案の脱臭装置は、構造が簡易であるため、装置のメンテナンスが容易であるという効果もある。
【考案を実施するための最良の形態】
【００１０】
次に本考案の実施の形態について図面を参照して詳細に説明する。
【００１１】
図１は、本考案の実施の形態における脱臭装置１００の構造の概略の一例を示す図である。脱臭装置１００は、外気を吸入して外気から臭気を脱臭するものであり、外気吸入部１０と、脱臭部２０と、外気排出部３０とを備える。
【００１２】
外気吸入部１０は、外気を吸入して脱臭部２０内に外気を供給するものである。脱臭部２０は、外気吸入部１０が吸入した外気から臭気を７０８号鉱石（登録商標）により脱臭するものであり、外気通路部２１と、７０８号鉱石群２２と、鉱石固定部２３とを備える。
【００１３】
外気通路部２１は、外気吸入部１０が吸入した外気の通路である。外気通路部２１は、外気排出部３０に接続されており、外気通路部２１内の外気は外気排出部３０から外部に排出される。
【００１４】
７０８号鉱石群２２は、７０８号鉱石（登録商標）の塊の集合体である。ここで、７０８号鉱石（登録商標）について説明する。７０８号鉱石（登録商標）とは、愛知県の国有鉱山（７０８号鉱山）から採石される多孔質の鉱石のことであり、その主成分は二酸化ケイ素（８０．０％）、酸化アルミニウム（９．２％）、酸化カリウム（４．２％）、酸化ナトリウム（１．２％）である。
【００１５】
７０８号鉱石（登録商標）は、約２０００万年前、２つの海洋プレートがぶつかり合って起きた大規模な地殻変動により、約１０００気圧の超高気圧と超高温で生成されたと推定され、７０８号鉱石（登録商標）は、その鉱物組成と組織から「ホルンフェルス状砂質片岩」と呼ばれる。
【００１６】
また、７０８号鉱石（登録商標）は、その結晶組織の特異性から極めて高い強度を有し、靭性に富み、耐摩耗性、耐衝撃性、耐熱性および酸・アルカリ等の耐薬品性に優れている。さらに、７０８号鉱石（登録商標）は、水分を含んだ空気と接触すると、負イオンの電位（−２９．７ｍＶ）が生じ、空気中の臭気成分を繰り返し吸着・分解して、空気中の臭気成分を脱臭する。すなわち、７０８号鉱石（登録商標）は、脱臭機能を有している。
【００１７】
鉱石固定部２３は、７０８号鉱石群２２を外気通路部２１内の所定の位置に固定するものである。鉱石固定部２３として、例えば多孔質の材質により形成されたケース状の部材とすることが想定されるが、これに限るものではなく、その他の形であってもよい。鉱石固定部２３をケース状の部材とした場合、７０８号鉱石群２２をそのケース状の部材に収める。そして、そのケース状の部材を外気通路部２１の側面に取り付ける。これにより、鉱石固定部２３は、７０８号鉱石群２２を外気通路部２１内の所定の位置に固定したことになる。
【００１８】
外気排出部３０は、脱臭部２０で脱臭された外気を排出するものである。外気排出部３０は、上述の通り外気通路部２１と接続されており、外気通路部２１内の外気は７０８号鉱石群２２により臭気を脱臭された後に、外部に排出される。
【００１９】
次に、脱臭装置１００の動作について説明する。脱臭装置１００における外気吸入部１０は、外部より外気を吸入して外気通路部２１内に外気を供給する。外気通路部２１内に供給された外気は上方に移動していく。
【００２０】
外気が上方に移動していく際、外気は鉱石固定部２３により固定された７０８号鉱石群２２中を通過する。７０８号鉱石（登録商標）は、上記説明したように空気中の臭気成分を繰り返し吸着・分解するため、外気中の臭気を脱臭する。したがって、鉱石固定部２３により固定された７０８号鉱石群２２中を通過した外気は、自身に含まれた臭気を脱臭された状態になる。鉱石固定部２３により固定された７０８号鉱石群２２中を通過して自身に含まれた臭気を脱臭された外気は、さらに上方へ移動して、外気排出部３０より外部へ排出される。脱臭装置１００は以上の動作を繰り返し行う。
【００２１】
脱臭装置１００は上記説明したような動作を繰り返し行うため、密封された空間内の空気中からでも臭気成分を容易に脱臭することができる。密封された空間として、例えば窓等を閉め切って外気の流入を遮断した部屋を想定した場合、部屋の臭いを取る際に窓を開けて部屋に外気を流入させて部屋の臭気成分を希釈化しなくとも、脱臭装置１００を部屋に設置すれば、窓を開けなくても部屋の臭気成分を脱臭することができる。
【００２２】
図２は、脱臭装置１００の具体的構造の一例である脱臭装置２００を示す図である。脱臭装置２００は、外気吸入ファン１１と、箱体２４と、７０８号鉱石群２５と、鉱石載置板２６と、開口３１とを備える。
【００２３】
外気吸入ファン１１は、脱臭装置１００における外気吸入部１０に対応するものであり、外気吸入ファン１１に内蔵された（図示しない）モータにより羽根１２を回転させることにより外気を吸入して箱体２４内に外気を供給するものである。
【００２４】
箱体２４は、脱臭装置１００における外気通路部２１に対応するものであり、例えば中空の直方体形状の箱部材とすることが想定されるが、これに限るものではなくその他の形状であってもよい。箱体２４の側面２４ａ下部の所定の位置に開口２４ｂが設けられており、その開口２４ｂに外気吸入ファン１１の羽根１２が位置するように外気吸入ファン１１は、箱体２４内に収められている。
【００２５】
７０８号鉱石群２５は、脱臭装置１００における７０８号鉱石群２２に対応するものであり、詳細については図１で説明済みであるため、説明を省略する。鉱石載置板２６は、例えば多孔質の材質により形成された板形状の部材であり、７０８号鉱石群２５を載せ置くものである。そして、鉱石載置板２６は、脱臭装置１００における鉱石固定部２３に対応する。
【００２６】
鉱石載置板２６の形状と大きさは、箱体２４の上底面部２４ｃおよび下面底面部２４ｄと同様の形状と大きさにすることが想定されるが、これに限るものではない。鉱石載置板２６の形状と大きさを箱体２４の上底面部２４ｃおよび下面底面部２４ｄと同様の形状と大きさにした場合、鉱石載置板２６は、図２に示すように箱体２４の上底面部２４ｃおよび下面底面部２４ｄと箱体２４の高さ方向に並列に並ぶように取り付けられる。
【００２７】
そして、鉱石載置板２６の上に７０８号鉱石群２５を載せ置くことにより、７０８号鉱石群２５を箱体２４内の所定の位置に固定したことになる。鉱石載置板２６の上に載せ置かれた７０８号鉱石群２５を強固に固定するために、（図示しない）網状部材を７０８号鉱石群２５の上側から被せて、鉱石載置板２６と（図示しない）網状部材とにより７０８号鉱石群２５を挟み込む状態にしてもよい。
【００２８】
開口３１は、箱体２４における上底面部２４ｃに設けられた開口であり、脱臭装置１００における外気排出部３０に対応するものである。７０８号鉱石群２５を通過した外気は、開口３１より外部に排出される。
【００２９】
図３は、脱臭装置１００の具体的構造の一例である脱臭装置３００を示す図である。脱臭装置３００は、外気吸入ファン１３と、箱体２７と、７０８号鉱石群２８ａ乃至２８ｄと、鉱石載置板２９ａ乃至２９ｄと、開口３２とを備える。
【００３０】
なお、図３の脱臭装置３００において図２に示した脱臭装置２００と同じ機能を有するものについては、同一の名称を用いるものとする。したがって、以下において図３の脱臭装置３００において図２に示した脱臭装置２００と同一の名称の部分については説明を省略することとし、脱臭装置３００と脱臭装置２００との相違点について以下説明することとする。
【００３１】
脱臭装置３００と脱臭装置２００との相違点は、７０８号鉱石群とそれに対応する鉱石載置板の数である。脱臭装置２００において７０８号鉱石群とそれに対応する鉱石載置板は、１つしか設けられていなかった（７０８号鉱石群２５、鉱石載置板２６）が、脱臭装置３００においては４つ設けられている（７０８号鉱石群２８ａ乃至２８ｄ、鉱石載置板２９ａ乃至２９ｄ）。なお、鉱石載置板２９ａ乃至２９ｄは、それぞれ７０８号鉱石群２８ａ乃至２８ｄを載せ置くものであり、多孔質の材質により形成された板形状の部材である。
【００３２】
脱臭装置３００のように７０８号鉱石群とそれに対応する鉱石載置板を４つ設けると、７０８号鉱石群により外気中の臭気を脱臭する機会が増えるため、脱臭装置２００に比べて外気中の臭気を脱臭する度合いを向上させることができる。
【００３３】
このように、本考案の実施の形態における脱臭装置１００乃至３００によれば、外気中の臭気を容易に脱臭することができる。また、脱臭装置１００乃至３００は、その構造が簡易であるため、メンテナンスを容易にさせる効果もある。
【００３４】
なお、脱臭装置３００においては、７０８号鉱石群とそれに対応する鉱石載置板を４つ設けた例を示したが、本考案においては４つ以下でも４つ以上でもよい。また、脱臭装置１００乃至３００において小さな塊の７０８号鉱石（登録商標）を用いることを想定したため、小さな塊の７０８号鉱石（登録商標）を複数集めた７０８号鉱石群をその内部に収容した場合について説明したが、これに限るものではなく、所定形状にした１つの塊の７０８号鉱石（登録商標）であってもよい。
【００３５】
所定形状にした１つの塊の７０８号鉱石（登録商標）を用いた場合、鉱石固定部は、例えば外気通路部の側面に設けられた溝で構成することもできる。この場合、大きな一つの塊の７０８号鉱石（登録商標）は、表面に突起部が設けられた板形状にすることが望ましい。この板形状の７０８号鉱石（登録商標）を上記外気通路部の側面に設けられた溝に差し込むことにより、板形状の７０８号鉱石（登録商標）は、外気通路部に固定されることになる。
【００３６】
また、脱臭装置１００乃至３００において７０８号鉱石群を固定する鉱石固定部の例として、多孔質の材質により形成された板状の部材を示したが、これに限るものではなく、その他の部材であってもよい。例えば、網状の部材により７０８号鉱石群を両側から挟み込むことにより、７０８号鉱石群を固定してもよい。
【００３７】
すなわち、鉱石固定部の構造は、外気の進行する領域に７０８号鉱石群を固定することができる構造であれば、どのような構造であってもよい。ただし、鉱石固定部の構造が、７０８号鉱石（登録商標）内を外気が通過することを妨げるような構造であると、外気中の臭気を脱臭することが十分にできないおそれがあるため、鉱石固定部は外気に７０８号鉱石（登録商標）内を通過させることを妨げない構造にする必要がある。
【００３８】
なお、本考案の実施の形態は本考案を具現化するための一例を示したものであり、これに限定されるものではなく本考案の要旨を逸脱しない範囲において種々の変形を施すことができる。
【産業上の利用可能性】
【００３９】
本考案の活用例として、例えば密封された喫煙空間における臭いを取り除く場合に適用することができる。
【図面の簡単な説明】
【００４０】
【図１】本考案の実施の形態における脱臭装置１００の構造の概略の一例を示す図である。
【図２】脱臭装置１００の具体的構造の一例である脱臭装置２００を示す図である。
【図３】脱臭装置１００の具体的構造の一例である脱臭装置３００を示す図である。
【符号の説明】
【００４１】
１０  外気吸入部
１１、１３  外気吸入ファン
１２  羽根
２０  脱臭部
２１  外気通路部
２２、２５、２８ａ、２８ｂ、２８ｃ、２８ｄ  ７０８号鉱石群
２３  鉱石固定部
２４、２７  箱体
２６、２９ａ、２９ｂ、２９ｃ、２９ｄ  鉱石載置板
３０  外気排出部
３１、３２  開口
１００、２００、３００  脱臭装置
【図１】
0003139161.tif 000003
【図２】
0003139161.tif 000004
【図３】
0003139161.tif 000005